(57)【要約】【課題】主として手で持ちながら粉塵等の吹き飛ばし作業を行う手持ち式のブロワにおいて、ブロワとしての取回しの良さを維持しながら、充電式バッテリの装着および取外しを容易に行えるようにする。【解決手段】第１および第２のバッテリ装着部６０ａ，６０ｂに対して充電式バッテリ８０ａ，８０ｂのスライドさせて装着される方向が、鉛直ハンドル部３５および水平ハンドル部３６のグリップ形状の延在方向に対して交差する直交方向に設定されている。また、第１および第２のバッテリ装着部６０ａ，６０ｂが２つ設けられているので、充電式バッテリ８０ａ，８０ｂを２つ装着できるようになる。これによって、ブロワ１０として利用するにあたって電力電圧を高く設定したり又は電力供給容量を大きく設定したりする要請に応じることができる。【選択図】図１
2014148951.tif 000002
【特許請求の範囲】
【請求項１】
充電式バッテリがスライドさせて装着されるバッテリ装着部と、該バッテリ装着部に装着された該充電式バッテリから供給される電力によりモータ軸を回転駆動させる電動モータと、該モータ軸の回転駆動を受けて回転するファンと、該ファンの回転により生じる風の通り道をなす風流路部と、を有するブロワであって、
外装をなすハウジングには、グリップ形状をなすハンドル部が設けられており、
前記バッテリ装着部に対して前記充電式バッテリのスライドさせて装着される方向が、前記ハンドル部のグリップ形状の延在方向に対して交差する方向に設定されるように、該バッテリ装着部の配設構成が設定されている、ことを特徴とするブロワ。
【請求項２】
充電式バッテリが装着されるバッテリ装着部と、該バッテリ装着部に装着された該充電式バッテリから供給される電力によりモータ軸を回転駆動させる電動モータと、該モータ軸の回転駆動を受けて回転するファンと、該ファンにより吸気あるいは排気されるノズル取付部と、を有するブロワであって、
前記バッテリ装着部の前後方向の幅の範囲内に前記電動モータの前後方向の重心が位置されている、ことを特徴とするブロワ。
【請求項３】
充電式バッテリが装着されるバッテリ装着部と、該バッテリ装着部に装着された該充電式バッテリから供給される電力によりモータ軸を回転駆動させる電動モータと、該モータ軸の回転駆動を受けて回転するファンと、該ファンにより吸気あるいは排気されるノズル取付部と、を有するブロワであって、
前記バッテリ装着部の左右方向の幅の範囲内に前記電動モータの左右方向の重心が位置されている、ことを特徴とするブロワ。
【請求項４】
充電式バッテリが装着されるバッテリ装着部と、該バッテリ装着部に装着された該充電式バッテリから供給される電力によりモータ軸を回転駆動させる電動モータと、該モータ軸の回転駆動を受けて回転するファンと、該ファンにより吸気あるいは排気されるノズル取付部と、を有するブロワであって、
前記風流路部には、熱伝導性を有する放熱板の一端側が配置されており、
前記放熱板の他端側は、前記電動モータを回転駆動させるための回路を構成する発熱部品に連結されている、ことを特徴とするブロワ。
【発明の詳細な説明】
【技術分野】
【０００１】
この発明は、主として手で持ちながら粉塵等の吹飛ばし作業を行う手持ち式のブロワに関する。
【背景技術】
【０００２】
従来、取回しに有利な手持ち式のブロワが知られている（例えば、特許文献１参照）。この種の手持ち式のブロワは、電源としての充電式バッテリが装着される。また、この手持ち式のブロワは、駆動源として電動モータが内装される。装着された充電式バッテリから電力が供給される電動モータは、モータ軸を回転駆動させる。回転駆動するモータ軸にはファンが取り付けられる。ファンは、モータ軸の回転駆動を受けて回転し、風を発生させる。発生した風は、ハウジング構造よりなされる風流路構造を通ってノズルを通過して吹き出される。この種のブロワは、作業上の取回しを良くするために、電源としてＡＣ電源を用いずに充電式バッテリを用いている。
【先行技術文献】
【特許文献】
【０００３】
【特許文献１】特開２００１−５０１９６号公報
【発明の概要】
【発明が解決しようとする課題】
【０００４】
ところで、上記したように装着される充電式バッテリにあっては、使用により充電量が空になるとブロワ本体から取り外し、専用の充電器にて充電される。また、この専用の充電器にて充電が完了した後には、ブロワ本体に取り付けられる。このようなブロワ本体からの充電式バッテリの取付けおよび取外しに際しては、ユーザは、通常使用するようにブロワのハンドル部を握りながら、このブロワ本体に充電式バッテリを取り付けたりまたはブロワ本体から充電式バッテリを取り外したりしたい。
しかしながら、このようなブロワ本体からの充電式バッテリの取付けおよび取外しの動作を行うにあたっては、バッテリ装着部が視認し難いために行い難いものとなっていた。
【０００５】
本発明は、このような事情に鑑みなされたものであって、本発明が解決しようとする課題は、主として手で持ちながら粉塵等の吹き飛ばし作業を行う手持ち式のブロワにおいて、ブロワとしての取回しの良さを維持しながら、充電式バッテリの装着および取外しを容易に行えるようにすることにある。
【課題を解決するための手段】
【０００６】
上記した課題を解決するために、本発明に係るブロワは次の手段をとる。
本発明の第１の発明は、充電式バッテリがスライドさせて装着されるバッテリ装着部と、該バッテリ装着部に装着された該充電式バッテリから供給される電力によりモータ軸を回転駆動させる電動モータと、該モータ軸の回転駆動を受けて回転するファンと、該ファンの回転により生じる風の通り道をなす風流路部と、を有するブロワであって、外装をなすハウジングには、グリップ形状をなすハンドル部が設けられており、前記バッテリ装着部に対して前記充電式バッテリのスライドさせて装着される方向が、前記ハンドル部のグリップ形状の延在方向に対して交差する方向に設定されるように、該バッテリ装着部の配設構成が設定されている、ことを特徴とする。
この第１の発明によれば、バッテリ装着部に対して充電式バッテリがスライドさせて装着される方向が、ハンドル部のグリップ形状の延在方向に対して交差する方向に設定されている。これによって、ハンドル部を握りながら充電式バッテリをバッテリ装着部にスライドさせて装着することができる。したがって、ブロワとしての取回しの良さを維持しながら、充電式バッテリの装着および取外しを容易に行えるようにすることができる。
【０００７】
本発明の第２の発明は、充電式バッテリが装着されるバッテリ装着部と、該バッテリ装着部に装着された該充電式バッテリから供給される電力によりモータ軸を回転駆動させる電動モータと、該モータ軸の回転駆動を受けて回転するファンと、該ファンにより吸気あるいは排気されるノズル取付部と、を有するブロワであって、前記バッテリ装着部の前後方向の幅の範囲内に前記電動モータの前後方向の重心が位置されている、ことを特徴とする。
本発明の第３の発明は、充電式バッテリが装着されるバッテリ装着部と、該バッテリ装着部に装着された該充電式バッテリから供給される電力によりモータ軸を回転駆動させる電動モータと、該モータ軸の回転駆動を受けて回転するファンと、該ファンにより吸気あるいは排気されるノズル取付部と、を有するブロワであって、前記バッテリ装着部の左右方向の幅の範囲内に前記電動モータの左右方向の重心が位置されている、ことを特徴とする。
本発明の第４の発明は、充電式バッテリが装着されるバッテリ装着部と、該バッテリ装着部に装着された該充電式バッテリから供給される電力によりモータ軸を回転駆動させる電動モータと、該モータ軸の回転駆動を受けて回転するファンと、該ファンにより吸気あるいは排気されるノズル取付部と、を有するブロワであって、前記風流路部には、熱伝導性を有する放熱板の一端側が配置されており、前記放熱板の他端側は、前記電動モータを回転駆動させるための回路を構成する発熱部品に連結されている、ことを特徴とする。
【図面の簡単な説明】
【０００８】
【図１】充電式バッテリが装着される状態のブロワの外観全体を示す斜視図である。
【図２】図１に示すブロワの側面図である。
【図３】図２の(III)-(III)断面矢視を示す断面図である。
【図４】図３の(IV)-(IV)断面矢視を示す断面図である。
【図５】充電式バッテリが取り外された図１のブロワの裏側を示す下面図である。
【図６】バッテリ装着部にスライドさせて装着される充電式バッテリの斜視図である。
【図７】バッテリ端子接続部を拡大して示す平面図である。
【図８】電動モータの回路構造を模式化して概念的に示す概念回路図である。
【図９】図１のブロワ本体にダストバッグが取り付けられる状態を示す斜視図である。
【図１０】図９のダストバッグが取り付けられる状態のブロワ本体の側面図である。
【図１１】ファンカバー部が取り外されたブロワを示す斜視図である。
【図１２】図１１に示すブロワの側面図である。
【図１３】図１２の(XIII)-(XIII)断面矢視を示す断面図である。
【発明を実施するための形態】
【０００９】
次に、本発明に係る実施の形態を説明する。図１〜図５に示す符号１０は、本発明に係る実施の形態となるブロワである。すなわち、図１は、充電式バッテリ８０が装着される状態のブロワ１０の外観全体を示す斜視図である。図２は、図１に示すブロワ１０の側面図である。図３は、図２の(III)-(III)断面矢視を示す断面図である。図４は、図３の(IV)-(IV)断面矢視を示す断面図である。図５は、充電式バッテリ８０が取り外された図１のブロワ１０の裏側を示す下面図である。図６は、バッテリ装着部６０にスライドさせて装着される充電式バッテリ８０の斜視図である。図７は、バッテリ端子接続部６００を拡大して示す平面図である。図８は、電動モータ１５の回路構造を模式化して概念的に示す概念回路図である。なお、以下の説明では、図中に記載される方向を用いてブロワ１０を説明する。
このブロワ１０は、主としてユーザが手で持ちながら掃除等の吹飛ばし作業を行うための手持ち式のブロワである。このブロワ１０の供給電力の電圧が３６Ｖに設定されている。すなわち、図１および図２に示すように、ブロワ１０は、電源としての２つの充電式バッテリ８０（８０ａ，８０ｂ）がブロワ本体１００に装着させて構成される。また、このブロワ本体１００には、風の吹出し向きを定めるノズル９０が装着されている。図３および図４に示すように、ブロワ本体１００は、概略、ハウジング１１と、バッテリ装着部６０と、コントローラ２５と、電動モータ１５と、ファン４５とを備える。
【００１０】
ハウジング１１は、このブロワ本体１００の外装をなしつつ各種の内装部品を支持する。ハウジング１１は、概略、モータハウジング１２と、グリップハウジング３１と、ファンハウジング４１とを備える。モータハウジング１２は、後に詳述するが、電動モータ１５が内装されるハウジングとして構成される。このモータハウジング１２の下部にはバッテリ装着部６０が設けられる。なお、このバッテリ装着部６０と、電動モータ１５との間には、電動モータの回転駆動を制御するコントローラ２５が配置される。なお、これらモータハウジング１２と、グリップハウジング３１と、ファンハウジング４１とを備えるハウジング１１は、手持ち式として使用するための軽量化の点から、適宜の樹脂製の成形品として形成される。
モータハウジング１２について説明する。モータハウジング１２は、内部に電動モータ１５が装置可能に略有底筒形状にて形成される。このモータハウジング１２の右側は、吸気スリット１３が複数設けられている。この吸気スリット１３は、モータ冷却風としてモータハウジング１２の内部に外気を吸気するための通気孔として形成される。モータハウジング１２の下部にはバッテリ装着部６０が設けられている。このモータハウジング１２の左側は、後に説明するファンハウジング４１に向けて適宜に開口された形状を有して形成される。また、モータハウジング１２の左右方向に延在される円筒形の周面にはグリップハウジング３１が設けられている。これらバッテリ装着部６０とグリップハウジング３１とについては、後に詳述するものとする。なお、図示符号１４は、電動モータ１５のカーボンブラシを交換する際のロック錠である。
【００１１】
電動モータ１５は、バッテリ装着部６０に装着された充電式バッテリ８０から供給される電力によりモータ軸１６を回転駆動させる。この電動モータ１５は、所謂ブラシモータで構成され、ステータ１８と、ロータ１９と、コンミテータ２０とを備える。ステータ１８は、モータハウジング１２にて支持される永久磁石となっている。ロータ１９は、コイルが巻回されることにより形成される。このロータ１９の回転軸としてモータ軸１６が設定されている。このモータ軸１６は、右側が右側ベアリング２１により回転可能に支持され、左側が左側ベアリング２２により回転可能に支持されている。このモータ軸１６のうち左側ベアリング２２に支持される箇所より左側部分は、モータ軸１６の取付用突出部１７として設定される。このモータ軸１６の取付用突出部１７には、ファン４５が取り付けられている。なお、右側ベアリング２１はモータハウジング１２により支持されており、左側ベアリング２２はファンハウジング４１により支持されている。また、図示符号Ｘ１にて示す仮想線は、モータ軸１６の回転軸線を示している。
モータハウジング１２の外周には、グリップハウジング３１が設けられている。このグリップハウジング３１は、操作スイッチ３２が内装されるとともにに、ユーザが手握り可能なハンドル部３５，３６が設けられる。グリップハウジング３１は、図１および図２に示すように、２つ割りにされる左側ハウジング３１１と右側ハウジング３１２とを有する。これら左側ハウジング３１１と右側ハウジング３１２とは、内部に操作スイッチ３２が設けられつつ、螺子部材３９を介して一体に螺子止めされる。
【００１２】
グリップハウジング３１は、図２に示すように、鉛直ハンドル部３５と水平ハンドル部３６とにより側面視へ字形をなすように形成される。すなわち、図２に示すモータハウジング１２の周面下部であり後側４５度にずらされた位置には、下側連接部３３が設けられている。この下側連接部３３は、モータハウジング１２の下部から突き出された後に水平方向後側に延びて鉛直ハンドル部３５の下端に連なっている。また、モータハウジング１２の周面上部であり前側４５度にずらされた位置には、上側連接部３４が設けられている。この上側連接部３４は、モータハウジング１２の上部から突き出された後に適宜に後側に向かって湾曲しながら水平ハンドル部３６の前端に連なっている。
鉛直ハンドル部３５は、ピストルのハンドルを模して形成される。すなわち、鉛直ハンドル部３５は、上下鉛直方向に延びるグリップ形状を有して形成される。このため、この鉛直ハンドル部３５のグリップ形状は、ユーザにて手握りされた際に、薬指および小指により握れるように更に人指し指および中指で操作スイッチ３２を引き操作できるように、形状設定がなされている。なお、この鉛直ハンドル部３５は、図２に示すように、上側が僅かであるが前側に倒れるように傾斜している。
水平ハンドル部３６は、図２に示すように、水平方向に延びるように形成される。すなわち、水平ハンドル部３６の水平方向に延びる後端部分が、鉛直ハンドル部３５の操作スイッチ３２が設けられる上端にて設定されている。また、この水平ハンドル部３６の水平方向に延びる前端部分が、上側連接部３４の湾曲された後の部分にて設定されている。
なお、これら鉛直ハンドル部３５と水平ハンドル部３６とは、適宜の円筒形状を有して形成されており、互いの境目が屈曲されつつ連接されている。このように連接される鉛直ハンドル部３５と水平ハンドル部３６とは、これら鉛直ハンドル部３５と水平ハンドル部３６との間で屈曲した形状を有するものの、前後方向で延びるように形成されている。つまり、図示符号Ｘ２にて示す仮想線のように、鉛直ハンドル部３５および水平ハンドル部３６は、モータ軸１６の回転軸線と直交する方向に延びるようになっている。
【００１３】
操作スイッチ３２は、不図示のスイッチ本体と、操作ボタン部３２２とを備える。スイッチ本体は、このグリップハウジング３１の内部に装置されているので図においては見えないが、広く利用される接点スイッチにて構成される。操作ボタン部３２２は、図示するように鉛直ハンドル部３５の上部に、言い換えれば水平ハンドル部３６の後部近くに設けられている。操作ボタン部３２２は、前後方向に移動可能にグリップハウジング３１に支持されている。このため、鉛直ハンドル部３５の握り方向に沿った押込み操作によりスイッチ本体の接点をオンとする。接点がオンとされたスイッチ本体は、スイッチオンとする旨の信号をコントローラ２５に入力する。なお、操作ボタン部３２２が押込み操作されていない場合には、不図示の付勢ばねにより押込みが解除され、接点がオフとされたスイッチオフとする状態となる。なお、この操作スイッチ３２には、図１１および図１２に示すようなロックボタン部３２３が設けられている。ロックボタン部３２３は、操作ボタン部３２２の押込み操作状態をロック（保持）させておくことができるようになっている。なお、このロックボタン部３２３による操作ボタン部３２２の押込み操作状態のロック（保持）は、操作ボタン部３２２を再び押込み操作されると解除されるようになっている。
【００１４】
このように構成されるモータハウジング１２の左側には、ファンハウジング４１が設けられる。ファンハウジング４１は、ファンハウジング本体４１１とファンカバー部４１２とを合体させることにより構成される。なお、ファンハウジング本体４１１とファンカバー部４１２とは、適宜の螺子止めにより一体のハウジング構造をなしている。ファンハウジング本体４１１は、モータハウジング１２と一体化されるように連結されている。このように形成されるファンハウジング４１の内部には、遠心式のファン４５が内装される。
遠心式のファン４５には、回転軸となる上記したモータ軸１６の取付用突出部１７が嵌挿されている。この取付用突出部１７は、螺子部材４４を介して遠心式のファン４５と一体化されている。つまり、モータ軸１６と一体化される取付用突出部１７は、遠心式のファン４５の回転軸として遠心式のファン４５に取り付けられている。このようにして、遠心式のファン４５は、モータ軸１６の回転駆動を受けて回転するようになっている。
遠心式のファン４５は、広く利用される遠心式のファンと同様に構成されるため、回転軸（モータ軸１６）方向で外気を吸気するようになっている。このため、ファンハウジング４１のうち、この遠心式のファン４５の回転軸（モータ軸１６）に近接される部分については、外気を吸気可能な開口形状が設けられている。すなわち、ファンハウジング４１の左側のうち、遠心式のファン４５の回転軸（モータ軸１６）に近接される部分には、外気を吸気するための吸気用開口部４２が設けられている。また、この遠心式のファン４５は、吸気した外気を回転径方向に向けて排気するようになっている。このようにして遠心式のファン４５は、風を生じさせるように機能する。なお、この遠心式のファン４５には、図１１および図１２に示すような連通孔４６が設けられている。この連通孔４６は、遠心式のファン４５の右側から吸気を可能とする連通孔である。つまり、遠心式のファン４５は、この連通孔４６を介してモータハウジング１２の内部の空気をファンハウジング４１の内部に流入させる。このため、モータハウジング１２の内部の空気は、上記した吸気スリット１３を介して、モータハウジング１２の右端からモータハウジング１２の内部に外気が吸気されることによりなされている。
【００１５】
上記した遠心式のファン４５により生じた風は、ファンハウジング４１から筒状で前側に突き出される排気用開口部４８に向けて流れることとなる。この排気用開口部４８は、円筒ガイド部４７を通じて設けられる開口部分である。この排気用開口部４８には、ノズル９０を装着させておくことが可能な排気側ノズル取付部４９が設けられている。また、吸気用開口部４２にあっても、ノズル９０を装着させておくことが可能な吸気側ノズル取付部４３が設けられている。なお、このノズル９０は、従前より利用されるゴム製の長尺筒形をなしたノズルである。
なお、上記した遠心式のファン４５は、本発明に係るモータ軸の回転駆動を受けて回転するファンに相当する。また、上記した円筒ガイド部４７をはじめとするファンハウジング４１の内部において風が流れる空間（送風空間）は、本発明に係る風流路部に相当する。つまり、このファンハウジング４１の内部において風が流れる送風空間は、遠心式のファン４５の回転により生じる風の通り道をなしている。つまり、この円筒ガイド部４７は、ファンハウジング４１に内装される遠心式のファン４５により風を外部に吹出し可能にするための風流路構造を構成する。なお、この円筒ガイド部４７は、水平ハンドル部３６と同様、前後方向に延びるように形成されている。また、この円筒ガイド部４７の前端が排気用開口部４８として形成される。
【００１６】
上記したように構成されるブロワ本体１００のモータハウジング１２の下部には、バッテリ装着部６０が設けられている。このバッテリ装着部６０は、充電式バッテリ８０がスライドさせて装着されるように構成される。すなわち、モータハウジング１２の下部には、２つ充電式バッテリ８０ａ，８０ｂを接続可能とするための連接拡大部７０が設けられている。この連接拡大部７０には、図５に示すように、２つのバッテリ装着部６０ａ，６０ｂが設けられている。つまり、２つのバッテリ装着部６０ａ，６０ｂのそれぞれには、スライドさせることにより装着される充電式バッテリ８０ａ，８０ｂが取り付けられる。この充電式バッテリ８０ａ，８０ｂは、図６に示すように、広く汎用される供給電力の電圧が１８Ｖに設定される充電式バッテリ８０である。この充電式バッテリ８０は、スライドさせることによってバッテリ装着部６０に装着されるいわゆるスライド式装着型の充電式バッテリとなっている。このため、この充電式バッテリ８０の図示上面（接続端子配置面）側には、スライド装着させるための構造および電気的接続がなされる構造が設けられている。
図６に示すように、充電式バッテリ８０の図示上面側には、スライド装着させるための構造として、対をなすスライドガイド部８１，８２が設けられている。また、この充電式バッテリ８０の図示上面側には、電気的接続がなされる構造として、正極側端子８３と負極側端子８４と信号側端子８５とが設けられている。また、この充電式バッテリ８０の図示上面側には、充電式バッテリ８０をスライド装着させて電気的接続がなされた際に、この状態にて充電式バッテリ８０をバッテリ装着部６０に対して係合させた状態とする雄フック８７が設けられている。また、この充電式バッテリ８０の取り外し方向側には、上記した雄フック８７を操作するための押しボタン８８（図１参照）が設けられている。この押しボタン８８は雄フック８７と連結している。この押しボタン８８を押し操作することで、雄フック８７が動作して充電式バッテリ８０の内部に収納される。これにより、充電式バッテリ８０がバッテリ装着部６０に対して係合しない状態となり、充電式バッテリ８０をバッテリ装着部６０から取り外せるようになる。なお、図６に記載される符号Ｌは、この充電式バッテリ８０の長手方向の長さを示している。また、図６に記載される符号Ｗは、この充電式バッテリ８０の幅方向の長さを示している。また、図６に記載される符号Ｈは、この充電式バッテリ８０の高さ方向の長さを示している。つまり、この充電式バッテリ８０の外形寸法は、長手方向の長さＬ＞幅方向の長さＷ＞高さ方向の長さＨ、という大小関係にある略直方体形状を有して形成されている。
【００１７】
次に、上記した充電式バッテリ８０をスライドさせて装着させるバッテリ装着部６０について説明する。図５および図７に示すように、このバッテリ装着部６０は、上記した充電式バッテリ８０をスライドさせて装着される構造を有する。このため、上記した充電式バッテリ８０に対応する装着構造を有して構成される。すなわち、バッテリ装着部６０は、図５および図７に示すように、上記した充電式バッテリ８０をスライド装着させるための構造、および上記した充電式バッテリ８０を電気的接続をする構造が設けられている。図５に示すように、このバッテリ装着部６０には、スライド装着させるための構造として、対をなすスライドガイド受部６１，６２が設けられている。また、図７に示すように、このバッテリ装着部６０には、電気的接続がなされる構造として、正極側端子６３と負極側端子６４と信号側端子６５とを備えるバッテリ端子接続部６００が設けられている。また、図５および図６に示すように、このバッテリ装着部６０には、充電式バッテリ８０をスライド装着させて電気的接続がなされた際に、この状態の充電式バッテリ８０がバッテリ装着部６０にロックされる。つまり、バッテリ装着部６０には、この状態の充電式バッテリ８０の雄フック８７が係合する雌部（凹み）６６が設けられている。
【００１８】
このように第１および第２のバッテリ装着部６０ａ，６０ｂに装着された充電式バッテリ８０ａ，８０ｂは、コントローラ２５により制御される。すなわち、ブロワ１０の電動モータ１５の回転駆動は、図８に示す概念回路図のようにコントローラ２５により制御されている。すなわち、コントローラ２５は、操作スイッチ３２およびシャント抵抗２５１（コントローラ２５の一部）からの入力信号を受けて、ＦＥＴ(field-effect transistor)回路２５２（コントローラ２５の一部）に出力信号を送る。これにより、コントローラ２５は、電動モータ１５の回転駆動を制御している。この際、第１および第２のバッテリ装着部６０ａ，６０ｂに装着される充電式バッテリ８０ａ，８０ｂは、直列方向の接続となるように回路設計されている。このため、充電式バッテリ８０ａ，８０ｂから供給される電力は、第１および第２のバッテリ装着部６０ａ，６０ｂを介して電圧が『３６Ｖ』となる直列接続構造となるように設定されている。なお、このコントローラ２５は、従前から利用されている電動モータ１５の駆動を制御するコントローラのほか、２つのバッテリ装着部６０ａ，６０ｂに装着された２つの充電式バッテリ８０ａ，８０ｂから電力供給を制御するコントローラの、両方の機能が組み込まれている。
【００１９】
次に、連接拡大部７０に設けられる第１バッテリ装着部６０ａと第２バッテリ装着部６０ｂとについて図５等を参照しながら説明する。この第１バッテリ装着部６０ａと第２バッテリ装着部６０ｂとは、この連接拡大部７０に対して前後方向でずらされた並列配置関係にて設けられている。このため、これら第１および第２のバッテリ装着部６０ａ，６０ｂに対する充電式バッテリ８０ａ，８０ｂのスライド装着方向は、両方とも右から左に向けてスライドさせることにより取り付けられるように設定されている。つまり、これら第１および第２のバッテリ装着部６０ａ，６０ｂに対しての充電式バッテリ８０ａ，８０ｂのスライド装着は、互いに同一の平行となる方向に設定されている。なお、これら第１および第２のバッテリ装着部６０ａ，６０ｂは、グリップハウジング３１に対してモータ軸１６の延在方向を中心にした軸線Ｘ１に対して、互いに前後対称位置にそれぞれ１つずつ配置されるように設けられている。つまり、これら第１および第２のバッテリ装着部６０ａ，６０ｂは、電動モータ１５の下側に設けられており、これら２つの第１および第２のバッテリ装着部６０ａ，６０ｂの間の上側の位置に、電動モータ１５の重心Ｘ５が位置するようになっている。言い換えれば、２つのバッテリ装着部６０ａ，６０ｂのそれぞれに装着される２つの充電式バッテリ８０ａ，８０ｂについての合成重心Ｘ６は、電動モータ１５のモータ軸１６の下側に位置されるように設定されている。つまり、図２に示すように、これら２つの第１および第２のバッテリ装着部６０ａ，６０ｂの前後方向の幅の範囲内には、電動モータ１５の前後方向の重心Ｘ５が位置されている。また、図３に示すように、これら２つの第１および第２のバッテリ装着部６０ａ，６０ｂの左右方向の幅の範囲内には、電動モータ１５の左右方向の重心Ｘ５´が位置されている。なお、２つの充電式バッテリ８０ａ，８０ｂについての合成重心Ｘ６は、図２に示す充電式バッテリ８０ａの重心Ｘ６１と充電式バッテリ８０ｂの重心Ｘ６２とを、合成した重心となっている。
【００２０】
また、これら第１および第２のバッテリ装着部６０ａ，６０ｂに対して充電式バッテリ８０ａ，８０ｂのスライドさせて装着される方向は、上記した鉛直ハンドル部３５および水平ハンドル部３６のグリップ形状の延在方向（図示符号Ｘ２）に対して交差する直交方向に設定されている。また、これら第１および第２のバッテリ装着部６０ａ，６０ｂに対して充電式バッテリ８０ａ，８０ｂのスライドさせて装着される方向は、モータ軸１６の延在方向を中心にした軸線Ｘ１とは一致している。
また、図示符号Ｘ３にて示す仮想線は、第１バッテリ装着部６０ａに対して充電式バッテリ８０ａがスライド装着される軸線を示している。また、図示符号Ｘ４にて示す仮想線は、第２バッテリ装着部６０ｂに対して充電式バッテリ８０ｂがスライド装着される軸線を示している。なお、これら第１および第２のバッテリ装着部６０ａ，６０ｂは、上記したバッテリ装着部６０の構造にて構成されている。これら軸線Ｘ３と軸線Ｘ４とは、互いに平行となるように設定されている。つまり、第１の実施の形態のバッテリ装着部６０ａ，６０ｂは、２つの充電式バッテリ８０ａ，８０ｂが並列にスライドさせて装着できるように、モータハウジング１２の連接拡大部７０に対して設けられている。
【００２１】
この実施の形態のブロワ１０によれば、次の作用効果を奏することができる。
すなわち、上記した実施の形態のブロワ１０によれば、第１および第２のバッテリ装着部６０ａ，６０ｂに対して充電式バッテリ８０ａ，８０ｂのスライドさせて装着される方向が、鉛直ハンドル部３５および水平ハンドル部３６のグリップ形状の延在方向（図示符号Ｘ２）に対して交差する直交方向に設定されている。これによって、鉛直ハンドル部３５および水平ハンドル部３６を握りながら充電式バッテリ８０ａ，８０ｂを第１および第２のバッテリ装着部６０ａ，６０ｂにスライドさせて装着することができる。したがって、ブロワ１０としての取回しの良さを維持しながら、充電式バッテリ８０ａ，８０ｂの装着および取外しを容易に行えるようにすることができる。
また、上記した実施の形態のブロワ１０によれば、第１および第２のバッテリ装着部６０ａ，６０ｂが２つ設けられているので、充電式バッテリ８０ａ，８０ｂを２つ装着できるようになる。これによって、ブロワ１０として利用するにあたって電力電圧を高く設定したり又は電力供給容量を大きく設定したりする要請に応じることができる。
【００２２】
また、上記した実施の形態のブロワ１０によれば、２つの第１および第２のバッテリ装着部６０ａ，６０ｂの間の上側の位置に電動モータ１５の重心Ｘ５が位置する。このため、これら第１および第２のバッテリ装着部６０ａ，６０ｂに装着された２つの充電式バッテリ８０ａ，８０ｂの合成重心Ｘ６を電動モータ１５の重心Ｘ５に近づけることができる。これによって、充電式バッテリ８０ａ，８０ｂが装着されたブロワ１０の重心位置が、充電式バッテリ８０ａ，８０ｂが取り外されるブロワ本体１００の重心位置と変わりなくすることができる。したがって、充電式バッテリ８０ａ，８０ｂが取り付けられていたり或いは充電式バッテリ８０ａ，８０ｂが取り外されていたりしても、ブロワ本体１００の重心の位置が変わり難くすることができて、充電式バッテリ８０ａ，８０ｂ取付け状態または充電式バッテリ８０ａ，８０ｂ取外し状態のいずれでも、取回しの良さに差が生じないブロワ１０とすることができる。
また、上記した実施の形態のブロワ１０によれば、これら２つのバッテリ装着部６０ａ，６０ｂのそれぞれにスライド装着された２つの充電式バッテリ８０ａ，８０ｂの下面８００ａ，８００ｂのそれぞれが互いに同一平面をなすように、これら２つのバッテリ装着部６０ａ，６０ｂのそれぞれの位置が設定されている。このため、これら２つのバッテリ装着部６０ａ，６０ｂのそれぞれにスライド装着された２つの充電式バッテリ８０ａ，８０ｂの下面８００ａ，８００ｂのそれぞれは、互いに面一をなす共通下面８００ｃをなすこととなる。これによって、２つの充電式バッテリ８０ａ，８０ｂの下面８００ａ，８００ｂ同士は、共通下面８００ｃをなすように面一となって、この共通下面８００ｃを載置面に対面させてブロワ１０を安定的に載せておくことができる。
【００２３】
なお、上記した２つの充電式バッテリ８０ａ，８０ｂの下面８００ａ，８００ｂのそれぞれにより同一平面をなして面一の共通下面８００ｃをなす場合には、次のような構成の場合にも有利となる。すなわち、図９は、図１のブロワ本体１００にダストバッグ９５が取り付けられる状態を示す斜視図である。図１０は、図９のダストバッグ９５が取り付けられる状態のブロワ本体１００の側面図である。図９および図１０に示すブロワ本体１００には、排気用開口部４８に対してノズル９０に替えてダストバッグ９５が取り付けられている。このダストバッグ９５は、従前より利用されるものであり、通気性を有した袋状の部材である。
このブロワ１０Ａにあっても、２つのバッテリ装着部６０ａ，６０ｂのそれぞれにスライド装着された２つの充電式バッテリ８０ａ，８０ｂの下面８００ａ，８００ｂのそれぞれは互いに同一平面をなしている。このため、これら２つの充電式バッテリ８０ａ，８０ｂの下面８００ａ，８００ｂのそれぞれは、互いに面一をなす共通下面８００ｃをなす。これによって、排気用開口部４８にノズル９０に替えてダストバッグ９５を取り付けた場合でも、２つの充電式バッテリ８０ａ，８０ｂの共通下面８００ｃ（８００ａ，８００ｂ）により、このダストバッグ９５を取り付けたブロワ１０Ａを安定して地面等に載置させることができる。
なお、図９および図１０に示す排気用開口部４８にあっては、従前の配置位置よりも上側の配置位置となるように設定されている。すなわち、円筒ガイド部４７Ａは、排気用開口部４８に向かうにしたがって上側に向かって傾斜するようになっている。これによって、ダストバッグ９５が取り付けられる排気用開口部４８は、円筒ガイド部４７Ａにしたがった斜め上側に向いた位置に配置されることとなる。このように形成された排気用開口部４８に対してダストバッグ９５を取り付けた場合には、図示するように地面（図示符号ＧＬ）よりも上側に浮かせた空中位置にダストバッグ９５を配置させることができる。このように排気用開口部４８に取り付けられたダストバッグ９５は、円筒ガイド部４７Ａによって地面（図示符号ＧＬ）よりも上側に浮かせた状態で支持されることとなる。このようにダストバッグ９５地面（図示符号ＧＬ）よりも上側に浮かせた場合には、ダストバッグ９５が汚れてしまうのを防止することができる上、ダストバッグ９５としての容量を大きく設定することが可能となる。このようにダストバッグ９５としての容量が大きくなると、ゴミ収容量も大きくできて利便性を向上させる。
【００２４】
また、上記した実施の形態にあっては、次のように構成されるものであってもよい。すなわち、図１１は、図３等に示すファンカバー部４１２が取り外されたブロワ１０Ｂを示す斜視図である。図１２は、図１１に示すブロワ１０Ｂの側面図である。図１３は、図１２の(XIII)-(XIII)断面矢視を示す断面図である。図１１〜図１３に示すブロワ１０Ｂには、上記したブロワ１０に対して放熱機構７１が設けられる例である。この放熱機構７１は、ファンハウジング本体４１１に、貫通孔７２が設けられている。この貫通孔７２は、モータハウジング１２の内部とファンハウジング４１の内部とを通じさせる孔である。この貫通孔７２には、熱伝導性に優れた金属製の放熱板７３が挿通されている。すなわち、放熱板７３は、一端側がファンハウジング４１において風が流れる空間（送風空間）に突き出され、他端側がモータハウジング１２の内部に装置されるコントローラ２５に連結されている。なお、このコントローラ２５としては、ＦＥＴ回路（ＦＥＴ素子、スイッチング素子等の各種の素子を含む）を含むものであり、ＭＯＳＦＥＴ、ＩＧＢＴで構成される回路を含むものである。ここで、この放熱板７３の一端側部分（図示符号７３１）は、ファンハウジング４１の内部にて流れる風が当たる。このため、この放熱板７３の一端側部分（図示符号７３１）は、この当たる風により冷却されるようになっている。これに対して、放熱板７３の他端側部分（図示符号７３２）は、電動モータ１５を回転駆動させるための回路を構成するコントローラ２５Ｂに連結されている。このコントローラ２５Ｂは、電動モータ１５を回転駆動させるための回路を構成する本発明に係る発熱部品に相当する。このように、一端側部分７３１が冷却される放熱板７３は、自身の熱伝導性により他端側部分に連結されるコントローラ２５を冷却することとなる。もって、冷却されたコントローラ２５は、電動モータ１５を回転駆動を安定して制御することができる。また、上記したコントローラ２５に含まれるＦＥＴ回路も安定して動作させることができる。なお、このコントローラ２５は、電動モータ１５の回転駆動の制御のほか、上記した２つの充電式バッテリ８０ａ，８０ｂの供給電力の制御も行うため、通常のコントローラよりも発熱し易くなっている。
【００２５】
なお、本発明に係るブロワとしては、上記したブロワの例に限定されるものではなく、手で持って使用する手持ち式のブロワで構成されるものであればいよい。
また、上記した実施の形態における充電式バッテリ８０ａ，８０ｂは、電圧１８Ｖに設定されるものとなっていた。しかしながら、本発明に係る充電式バッテリの電圧としては、これに限定されることなく、１０Ｖや１４Ｖ等の適宜の電圧にて設計される充電式バッテリ（二次電池）を利用することができる。また、これら２つの充電式バッテリ８０ａ,８０ｂから供給される電力は、供給容量（全ての充電量）を高めることのみならず、電圧を上げるものであってもよい。つまり、充電式バッテリ８０から供給される電力の供給容量を上げるための構成に限定されることなく、充電式バッテリ８０から供給される電力の電圧を上げるための適宜の構成としてもよい。また、充電式バッテリの電圧としては、この例に限定されることなく、１０Ｖや１４Ｖ等の適宜の電圧にて設定されるものであってもよい。
【符号の説明】
【００２６】
１０，１０Ａ，１０Ｂ  ブロワ
１００  ブロワ本体
１１  ハウジング
１２  モータハウジング
１３  吸気スリット
１５  電動モータ
１６  モータ軸
１７  取付用突出部
１８  ステータ
１９  ロータ
２０  コンミテータ
２１  右側ベアリング
２２  左側ベアリング
２５  コントローラ
２５１  シャント抵抗
２５２  ＦＥＴ回路
３１  グリップハウジング
３１１  左側ハウジング
３１２  右側ハウジング
３２  操作スイッチ
３２２  操作ボタン部
３２３  ロックボタン部
３３  下側連接部
３４  上側連接部
３５  鉛直ハンドル部
３６  水平ハンドル部
３９  螺子部材
４１  ファンハウジング
４１１  ファンハウジング本体
４１２  ファンカバー部
４２  吸気用開口部
４３  吸気側ノズル取付部
４４  螺子部材
４５  ファン
４６  連通孔
４７，４７Ａ  円筒ガイド部
４８  排気用開口部
４９  排気側ノズル取付部
６０（６０ａ，６０ｂ）  バッテリ装着部
６００  バッテリ端子接続部
６１，６２  スライドガイド受部
６３  正極側端子
６４  負極側端子
６５  信号側端子
７０  連接拡大部
７１  放熱機構
７２  貫通孔
７３  放熱板
８０  充電式バッテリ
８０（８０ａ，８０ｂ）  充電式バッテリ
８００ａ，８００ｂ  下面
８００ｃ  共通下面
８１，８２  スライドガイド部
８３  正極側端子
８４  負極側端子
８５  信号側端子
８７  雄フック
８８  押しボタン
９０  ノズル
９５  ダストバッグ
Ｌ  長手方向の長さ
Ｗ  幅方向の長さ
Ｈ  高さ方向の長さ
Ｘ１  モータ軸の回転軸線
Ｘ２  鉛直ハンドル部および水平ハンドル部の延在方向
Ｘ３  第１バッテリ装着部に充電式バッテリがスライド装着される軸線
Ｘ４  第２バッテリ装着部に充電式バッテリがスライド装着される軸線
Ｘ５  電動モータの重心位置
Ｘ６  ２つの充電式バッテリの合成重心
【図１】
2014148951.tif 000003
【図２】
2014148951.tif 000004
【図３】
2014148951.tif 000005
【図４】
2014148951.tif 000006
【図５】
2014148951.tif 000007
【図６】
2014148951.tif 000008
【図７】
2014148951.tif 000009
【図８】
2014148951.tif 000010
【図９】
2014148951.tif 000011
【図１０】
2014148951.tif 000012
【図１１】
2014148951.tif 000013
【図１２】
2014148951.tif 000014
【図１３】
2014148951.tif 000015